(57)【特許請求の範囲】
【請求項１】
前方へ開く鏡扉を有し上端にＬＥＤ照明器を備えたミラーキャビネットの上方には、前記ＬＥＤ照明器の上方の収納位置から前記鏡扉の前方へ引き出し可能な昇降ユニットを備えた昇降棚が設けられ、
昇降ユニットの下面前部部位には前記ＬＥＤ照明器の下端のラインよりも上方に取っ手が取り付けられており、
該取っ手は、前記昇降ユニットの下面から下向きに垂下する垂下片と該垂下片の下端から後方へ向かって略水平に延びる指掛け片で断面視Ｌ字型をなし、
前記指掛け片は前記昇降ユニットの収納位置では前記ミラーキャビネットの鏡扉の上端よりも上方に位置するとともに、昇降ユニットの下面と該指掛け片との間には後方側から前向きに指を入れることのできる指挿入空間が形成されている
ことを特徴とする昇降棚用取っ手を有する昇降棚。
【発明の詳細な説明】
【技術分野】
【０００１】
本発明は、昇降ユニットを昇降操作するための昇降棚用取っ手を有する昇降棚に関するものである。
【背景技術】
【０００２】
従来、特許文献１に開示されているような多段式の棚装置が存在する。
この多段式の棚装置では、キッチン吊り戸棚の下部に収納ケースと上段棚部材および下段棚部材が設けられ、上段棚部材と下段棚部材が同調して水平姿勢のまま昇降するように構成され、下段棚部材には、フラットな水平板の前縁に昇降操作用の手掛かり把手が設けられており、この手掛かり把手に手を掛けて下段棚部材を引き下げ操作できるものとなっている。
【先行技術文献】
【特許文献】
【０００３】
【特許文献１】特開２００８−１１０１５３号公報
【発明の概要】
【発明が解決しようとする課題】
【０００４】
上記特許文献１に開示されている昇降操作用の手掛かり把手は、下段棚部材を構成するフラットな水平板の前縁に前方へ張り出して一体化されているものであり、手掛かり把手の部分を後付けできるものではなく、水平板と手掛かり把手をアルミニウムの押出成形で一体成形する必要があり、コストの高い製品となっていた。
【課題を解決するための手段】
【０００５】
本発明は、コストを低減させることができ、後付けが可能で、しかもミラーキャビネットの鏡扉との干渉を回避できる昇降棚用取っ手を有する昇降棚の提供を目的とし、この目的の少なくとも一部を達成するために以下の手段を採った。
本発明の昇降棚用取っ手を有する昇降棚は、
前方へ開く鏡扉を有し上端にＬＥＤ照明器を備えたミラーキャビネットの上方には、前記ＬＥＤ照明器の上方の収納位置から前記鏡扉の前方へ引き出し可能な昇降ユニットを備えた昇降棚が設けられ、
昇降ユニットの下面前部部位には前記ＬＥＤ照明器の下端のラインよりも上方に取っ手が取り付けられており、
該取っ手は、前記昇降ユニットの下面から下向きに垂下する垂下片と該垂下片の下端から後方へ向かって略水平に延びる指掛け片で断面視Ｌ字型をなし、
前記指掛け片は前記昇降ユニットの収納位置では前記ミラーキャビネットの鏡扉の上端よりも上方に位置するとともに、昇降ユニットの下面と該指掛け片との間には後方側から前向きに指を入れることのできる指挿入空間が形成されていることを要旨とする。
【発明の効果】
【０００６】
本発明の昇降棚用取っ手は、断面視Ｌ字型にコストを低減させて別体で形成することができ、昇降ユニットの下面に後付けして取り付けることができ、しかも取付状態では、昇降ユニットの収納位置において下方のミラーキャビネットの鏡扉の上端よりも上方に取っ手が位置するため、ミラーキャビネットの鏡扉を開ける際に昇降棚の取っ手に当たることがなく、鏡扉との干渉を良好に回避できるものとなる。
【図面の簡単な説明】
【０００７】
【図１】ミラーキャビネットの上方に設置された昇降棚の昇降ユニットの昇降状態の要部拡大側面構成図である。
【図２】昇降棚内に昇降ユニットを収納した状態の昇降棚の側面構成図である。
【図３】昇降ユニットを収納した状態の昇降棚の下側から見た斜視構成図である。
【図４】昇降ユニットの下面に取り付けられる取っ手の上方側から見た拡大斜視構成図である。
【図５】図４の取っ手の断面構成図である。
【発明を実施するための形態】
【０００８】
次に、本発明を実施するための形態を実施例を用いて説明する。
図１は、ミラーキャビネットの上方に設置された昇降棚の要部拡大側面構成図であり、図２は、昇降ユニットを収納した状態の昇降棚の側面構成図であり、図３は、昇降ユニットを収納した状態の昇降棚の下側から見た斜視構成図である。
【０００９】
図において、キッチンの壁面等にはミラーキャビネット１が設置され、このミラーキャビネット１の上方に、昇降ユニット７を備えた昇降棚４が設置されている。
ミラーキャビネット１は、前方側へ開閉可能に前面に鏡扉２が設けられており、ミラーキャビネット１の上端には、ＬＥＤランプで構成されたＬＥＤ照明器３が備えられている。
ＬＥＤ照明器３の上方に設置される昇降棚４は、壁面に固定される固定箱体５内に昇降ユニット７が設けられており、この昇降ユニット７は、固定箱体５内に収納される収納位置からミラーキャビネット１の鏡扉２の前方へ引き出される使用位置に亘り昇降可能となっている。
【００１０】
昇降棚４を構成する固定箱体５は、底側の底壁５１と天井側の天壁５２と背側の背壁５３と左右の側壁５４，５４により、前方側が開放された箱体として形成されており、前面側には開閉可能に扉６が設けられている。
この固定箱体５の底壁５１の前端は切り欠かれた切欠開口部５１ａとなっており、この切欠開口部５１ａ内に、収納状態における昇降ユニット７の底板７１が図２のように配置され、底壁５１の下面と昇降ユニット７の底板７１の下面７１ａがほぼ面一状となって固定箱体５内に昇降ユニット７が収納される。
【００１１】
昇降ユニット７は、固定箱体５に対し揺動支持部材１１を介して昇降動できるように構成されている。
固定箱体５の左右の側壁５４，５４の内面にはベース部材９が固定されており、このベース部材９に対し軸を介して前後および上下方向に揺動可能に揺動支持部材１１を構成する第１アーム１１ａと第２アーム１１ｂが連結されており、第１アーム１１ａおよび第２アーム１１ｂの他端側は、それぞれ軸１２，１２を介して昇降ユニット７に固定された取付板１０に連結されている。
この揺動支持部材１１は４節平行リンク機構となっており、昇降ユニット７の収納位置では、第１アーム１１ａおよび第２アーム１１ｂは図１の想像線のように縦方向に立ち上がった状態となり、昇降ユニット７が鏡扉２の前方側へ引き出された状態では、図１の実線のように第１アーム１１ａおよび第２アーム１１ｂは前方へ向かって横方向に突出した状態となる。
【００１２】
なお、この揺動支持部材１１に連繋して連動アーム１３が設けられており、連動アーム１３は、扉６の上端内側に設けられた扉ヒンジ１４のリンク機構に連繋されている。従って、昇降ユニット７が使用位置へ向かって下降される時に、連動アーム１３および扉ヒンジ１４を介して同時に扉６も前方側へ開かれるように構成されている。
【００１３】
昇降ユニット７の底板７１の下面７１ａの前部部位には取っ手８が取り付けられている。この取っ手８は、図４に上面側からの拡大斜視図で示すように、昇降ユニット７とは別体で樹脂で成形されたものであり、昇降ユニット７の底板７１の下面７１ａに後付けで取り付けられる。
この取っ手８は、昇降ユニット７の底板７１の下面７１ａに当接状に固定される左右側の固定部８ａ，８ｂの前端に、固定部８ａ，８ｂを繋ぐ連結部８ｃが一体形成されて、全体として平面視コの字形状に形成されている。
【００１４】
なお、固定部８ａ，８ｂおよび連結部８ｃの内部には、補強のために複数のリブを形成させておくことができ、固定部８ａ，８ｂにはリブの交差する部分にネジ孔８３，８３，８３が形成されており、この各ネジ孔８３内には予めナットを埋め込んでおくことができる。
図５の断面図で示すように、この取っ手８の連結部８ｃの内側は断面視Ｌ字型に形成されている。即ち、取っ手８の連結部８ｃの内側には垂直な垂下片８１が形成され、この垂下片８１の下端から後方側へ向かって略水平に延びる指掛け片８２が形成されている。
【００１５】
昇降ユニット７の底板７１の下面７１ａに取っ手８の固定部８ａ，８ｂを当接させ、底板７１の上方よりネジをネジ孔８３，８３内にそれぞれ締め付けて、昇降ユニット７の底板７１の下面７１ａに固定部８ａ，８ｂおよび連結部８ｃを当接させて取っ手８を取り付けることができ、取付状態では、昇降ユニット７の底板７１の下面７１ａから垂下片８１が下向きに垂下し、底板７１の下面７１ａとほぼ平行状に後方側へ向かって指掛け片８２が配置され、昇降ユニットの底板７１の下面７１ａと取っ手８の指掛け片８２間には、後方側が開放された指挿入空間８Ｓが形成されることとなり、この指挿入空間８Ｓ内に、後方側から前向きに指を入れることができ、指を指掛け片８２上に置いて下側に向かって力を加えることにより、良好に昇降ユニット７を下降させて引き出すことができるものである。
【００１６】
なお、本例の取っ手８は、全体の上下高さ寸法が、従来用いられている取っ手よりも短い寸法に設定されている。
即ち、図１に示すように、取っ手８を取り付けた昇降ユニット７が固定箱体５内に収納された状態において、取っ手８は固定箱体５の底壁５１よりも下方側へ突出するが、取っ手８の指掛け片８２の高さ位置は、ミラーキャビネットの鏡扉２の上端の上端ライン２Ｒよりも上方に位置するように設定されている。
従って、昇降ユニット７が固定箱体５内に収納された状態で、ミラーキャビネット１の鏡扉２を前方側へ開けても、鏡扉２の上端が取っ手８に当たることはなく、良好に鏡扉２の開閉操作を行なうことができ、鏡扉２と取っ手８との干渉が良好に回避されている。
【００１７】
また、本例の取っ手８は、別体でコストを低減させて形成しておき、後付けで昇降ユニット７の下面７１ａに取り付けできるため、全体としてのコストが低減することとなり、また、取っ手８の取付状態での意匠性が向上したものとなり、使用者は手を上方へ上げて指を良好に後方側から前向きに指挿入空間８Ｓ内に入れて、昇降ユニット７を引き下げ操作することができるものである。
従って、ミラーキャビネット１の上端に上下寸法の短いＬＥＤ照明器３が備えられている場合にも、このようなＬＥＤ照明器３を備えたミラーキャビネット１の上方に鏡扉２と干渉することのない昇降棚４を設置することができるものとなる。
【符号の説明】
【００１８】
１  ミラーキャビネット
２  鏡扉
３  ＬＥＤ照明器
４  昇降棚
５  固定箱体
６  扉
７  昇降ユニット
８  取っ手
８ａ，８ｂ  固定部
８ｃ  連結部
８Ｓ  指挿入空間
１１  揺動支持部材
５１  底壁
５１ａ  切欠開口部
７１  底板
７１ａ  下面
８１  垂下片
８２  指掛け片
８３  ネジ孔
【図１】
0005924664.tif 000002
【図２】
0005924664.tif 000003
【図３】
0005924664.tif 000004
【図４】
0005924664.tif 000005
【図５】
0005924664.tif 000006